(57)【特許請求の範囲】
【請求項１】
眼鏡前枠に設けられた二つのレンズ保持枠の内周面に嵌合溝を形成し、この嵌合溝内にレンズを保持させるためのリムを嵌め込む眼鏡前枠におけるリムの取付構造において、
前記レンズ保持枠の智側及びブリッジ側の少なくとも一方の表面又は裏面に係合凹部を形成し、前記リムに前記係合凹部と係合する係合爪を形成し、
前記係合凹部の前記係合爪と当接する内壁を傾斜させて形成するとともに、前記係合爪を介して前記リムを押し上げて前記嵌合溝の内壁に押し付ける方向に前記係合凹部の内壁を傾斜させたこと、
を特徴とする眼鏡前枠におけるリムの取付構造。
【請求項２】
前記レンズ保持枠に、前記リムから前記係合凹部まで連通し前記係合爪を嵌め込む溝を形成したことを特徴とする請求項１に記載の眼鏡前枠におけるリムの取付構造。
【請求項３】
前記レンズ保持枠の智側及びブリッジ側の一方の表面に前記係合凹部を形成し、他方の裏面に前記係合凹部を形成したことを特徴とする請求項１又は２に記載のリムの取付構造。
【請求項４】
前記レンズ保持枠の前記ブリッジ側及び前記リムの前記ブリッジ側の一方に孔部又は溝部を形成し、他方に前記孔部又は溝部に挿入される係合部を形成したことを特徴とする請求項１又は２に記載の眼鏡前枠におけるリムの取付構造。
【請求項５】
前記係合部が箱足であることを特徴とする請求項４に記載の眼鏡前枠におけるリムの取付構造。
【請求項６】
前記係合爪に智，智取付部材又は装飾部材を取り付けたことを特徴とする請求項１〜５のいずれかに記載の眼鏡前枠におけるリムの取付構造。
【請求項７】
前記孔部又は前記溝部を、前記係合部を係合させたときにリムを持ち上げる方向に傾斜して形成したことを特徴とする請求項４に記載の眼鏡前枠におけるリムの取付構造。
【請求項８】
前記ブリッジに前記二つのリムを連結する連結部材を取り付けたことを特徴とする請求項１〜７のいずれかに記載の眼鏡前枠におけるリムの取付構造。
【請求項９】
前記連結部材及び前記リムの一方に孔部又は溝部を形成し、他方に前記孔部又は溝部に挿入される係合部を形成したことを特徴とする請求項８に記載の眼鏡前枠におけるリムの取付構造。
【請求項１０】
前記係合部が箱足であることを特徴とする請求項９に記載の眼鏡前枠におけるリムの取付構造。
【請求項１１】
前記連結部材に前記係合凹部を形成し、前記リムの前記ブリッジ側に前記係合凹部に係合される係合爪を形成したことを特徴とする請求項８に記載の眼鏡前枠におけるリムの取付構造。
【発明の詳細な説明】
【技術分野】
【０００１】
本発明は、眼鏡前枠の内周面に形成した嵌合溝内にレンズを保持させるためのリムを嵌め込んだ眼鏡前枠におけるリムの取付構造に関する。
【背景技術】
【０００２】
眼鏡前枠に曲げや捩り方向に力がかかったり落下等の衝撃が加わったりした場合に、眼鏡前枠からレンズが外れにくいようにするために、眼鏡前枠の内周面に形成した嵌合溝内にレンズを保持させるためのリムを嵌め込んだ眼鏡前枠におけるリムの取付構造が知られている（例えば特許文献１参照）。
特許文献１に記載のリムの取付構造では、眼鏡前枠（フロント枠）１の内周面に内溝１１ａを形成し、この内溝１１ａにレンズＬを装着したリム（インナーリム）２を嵌め込むようにしている。そして、内溝１１ａの二カ所に凹部１１ｂを設け、この凹溝１１ａに挿入される突起部２１をリム２上面に設けていて、突起２１を凹部１１ｂに挿入してネジＳを締め付けることで、レンズＬを保持したリム２が眼鏡前枠１に固定されるようにしている。
【先行技術文献】
【特許文献】
【０００３】
【特許文献１】特開２０１３−８８５３８号公報
【発明の開示】
【発明が解決しようとする課題】
【０００４】
しかし、特許文献１に記載のリムの取付構造では、リム２を眼鏡前枠１に取り付ける際に、突起部２１がリム２の両側に張り出している分だけ眼鏡前枠１を大きく変形させなければならず、眼鏡前枠１の材質や形状によってはリム２の取り付けが困難又は不可能になることがある。そのため、眼鏡前枠１の材質や形状が制限され、眼鏡フレームのデザインが制限されるという問題がある。
【０００５】
このような問題を解決するには突起部２１の形成位置を取り付けが容易になる位置に選択すればよいが、このような位置に突起部２１を形成するとリム２が外れやすくなることから、ネジＳ等でリム２を眼鏡前枠１に固定する必要が生じる。しかし、微小なネジＳを締め付ける工程は作業負担が大きく、時間もかかってコスト高になるうえ、眼鏡フレームを使用するうちにネジＳに緩みが生じ、これによってレンズにがたつきが生じやすくなるという問題もある。
【０００６】
さらに、眼鏡前枠１の両端側に張り出すリム２の突起２１が邪魔になって、智を取り付けるための金具を挿通させるスペースが無くなることから、眼鏡前枠１の両端を大きく延伸させる必要があり、これによっても智を取り付けるための手段や眼鏡前枠１のデザインが制限されるという問題がある。
本発明は、これらの問題点を一挙に解決するべくなされたものである。
【課題を解決するための手段】
【０００７】
本発明の目的を達成するために、請求項１に記載の発明は、眼鏡前枠に設けられた二つのレンズ保持枠の内周面に嵌合溝を形成し、この嵌合溝内にレンズを保持させるためのリムを嵌め込む眼鏡前枠におけるリムの取付構造において、
前記レンズ保持枠の智側及びブリッジ側の少なくとも一方の表面又は裏面に係合凹部を形成し、前記リムに前記係合凹部と係合する係合爪を形成し、前記係合凹部の前記係合爪と当接する内壁を傾斜させて形成するとともに、前記係合爪を介して前記リムを押し上げて前記嵌合溝の内壁に押し付ける方向に前記係合凹部の内壁を傾斜させた構成としてある。
この場合、請求項２に記載するように、前記レンズ保持枠に、前記リムから前記係合凹部まで連通し前記係合爪を嵌め込む溝を形成し、係合爪が前記レンズ保持枠に埋め込まれるようにするとよい。このようにすることで、眼鏡前枠に捩り等の変形を加えた場合にも係合爪が外れにくく、かつ、デザイン上も見た目をすっきりさせることができる。なお、前記係合凹部及び前記係合爪はレンズ保持枠の裏面（眼鏡装着者の眼の側の面）又は表面のいずれであってもよく、請求項３に記載するように、レンズ保持枠の智側及びブリッジ側の一方の表面に前記係合凹部を形成し、他方の裏面に前記係合凹部を形成してもよい。
前記係合凹部を、前記係合爪を係合させたときにリムを持ち上げる方向に傾斜して形成することで、係合爪を係合凹部に係合させたときに、リムが嵌合溝に押し付けられる方向に付勢され、レンズ保持枠にリムをより密着させて固定することが可能になる。
【０００８】
前記係合凹部と前記係合爪は、リム及びレンズ保持枠の智側及びブリッジ側の両方に形成してもよいし、どちらか一方であってもよい。請求項４に記載するように、前記嵌合溝の前記ブリッジ側及び前記リムの前記ブリッジ側の一方に孔部又は溝部を形成し、他方に前記孔部又は溝部に挿入される係合部を形成するようにしてもよい。なお、前記リムのブリッジ側に係合部を形成し、前記嵌合溝のブリッジ側に溝部を形成するような場合は、請求項５に記載するように、前記係合部を鼻パッドを取り付ける箱足とすることができる。
このように、係合凹部をレンズ保持枠に形成し、この係合凹部に係合する係合爪をリムに形成すれば、リムを嵌合溝に嵌め込むために必要なレンズ保持枠の変形量を最小にすることができ、眼鏡前枠の材質や形状、デザインを制限することもない。
【０００９】
また、請求項６に記載するように、前記リムの前記係合爪に智又は智取付部材若しくは装飾部材を取り付けてもよい。このように、本発明のリムの取付構造では、眼鏡前枠の裏側に露出する前記係合爪を利用して智や智取付部材の取り付けが可能になるので、智の取り付けのために眼鏡前枠の両端を延伸する必要が無くなり、眼鏡フレームのデザイン性を制限することがない。また、智取付部材が眼鏡前枠の表面に露出せず、眼鏡前枠のデザインをすっきりさせることも可能である。さらに、眼鏡前枠の表面に係合爪を露出させる場合には、係合爪そのものを装飾として利用したり、係合爪の表面に装飾部材を取り付けたりすることで、眼鏡前枠のデザイン性を高めることができる。
【００１０】
請求項７に記載するように、前記孔部又は溝部を、前記係合部を係合させたときにリムを持ち上げる方向に傾斜させて形成してもよい。このようにすることで、係合爪を孔部や溝部に係合させたときに、リムが嵌合溝に押し付けられる方向に付勢され、レンズ保持枠にリムをより密着させて固定することが可能になる。
【００１１】
請求項８に記載するように、二つのレンズ保持枠を連結するブリッジに前記二つのリムを連結する連結部材を取り付けてもよい。連結部材によってブリッジの剛性が高められ、かつ、二つのリムを連結することで眼鏡前枠の全体の剛性を高めることができる。二つのリムを連結部材によって連結し一体にする構成としては、例えば請求項９に記載するように、前記連結部材及び前記リムの一方に孔部又は溝部を形成し、他方に前記孔部又は溝部に挿入される係合部を形成した構成とすることができる。なお、前記リムに係合部を形成し、前記連結部材に溝部を形成するような場合は、請求項１０に記載するように、前記係合部を、鼻パッドを取り付ける箱足とすることができる。
また、請求項１１に記載するように、前記連結部材の両側に前記係合凹部を形成し、前記リムの前記ブリッジ側に前記係合凹部に係合される係合爪を形成した構成とすることもできる。
【発明を実施するための最良の形態】
【００１２】
以下、本発明の好適な実施形態を、図面を参照しながら詳細に説明する。
［第一の実施形態］
図１は、本発明のリムの取り付け構造を適用した眼鏡前枠を裏面側（眼鏡フレームの装着者の目側）から見た平面図、図２（ａ）は図１の眼鏡前枠とリムとを裏面側から見た分解平面図、（ｂ）は図１のI-I方向断面図、（ｃ）は（ｂ）のII-II方向断面図、（ｄ）は智を取り付けた状態を示す図１のIII-III-方向断面図である。
【００１３】
樹脂で形成されたハーフリム形の眼鏡前枠１は、レンズ２を保持する左右のレンズ保持枠１０と左右のレンズ保持枠１０を連結するブリッジ１２とを有している。レンズ保持枠１０の内周面にはレンズ２を保持するリム１１を嵌め込んで固定するための嵌合溝１０ａが形成されている。
金属製のリム１１はレンズ２の全周囲に嵌め付けられるフルリムタイプのものであってもよいが、図示の例ではレンズ２の上半分に嵌め付けられるハーフリム形のものである。図示の例においてレンズ２の下半分は、両端をリム１１に連結されたナイロール３によって保持される。
【００１４】
レンズ保持枠１０の裏面の智側及びブリッジ側には係合凹部１０ｂ，１０ｃが形成されている。この係合凹部１０ｂ，１０ｃはドリルやエンドミル、加熱鏝等で形成することができる。係合凹部１０ｂ，１０ｃは裏面側から表面側に貫通させてもよいし貫通させなくてもよい。
この係合凹部１０ｂ，１０ｃに連通するように、リム１１側から溝１０ｄ，１０ｅ（図１（ｂ）参照）が形成されている。
【００１５】
係合凹部１０ｂ，１０ｃに係合できる係合爪１３，１４は、リム１１の智側及びブリッジ側に形成されている。係合爪１４は、図２（ｂ）に示すように、リム１１の側面に鑞付け等で固定され、レンズ保持枠１０の裏面側に向けて延びる基部１４ａと、この基部１４ａから屈曲して形成され、嵌合溝１０ａの内周面側からレンズ保持枠１０の裏面に沿って係合凹部１０ｃまで延びる架橋部１４ｂと、この架橋部１４ｂの先端から屈曲して係合凹部１０ｃに向かう爪部１４ｃとを有している。係合爪１４の基部１４ａはレンズ保持枠１０の溝１０ｄに嵌め込まれ、架橋部１４ｂは溝１０ｅに嵌め込まれる。このように、係合爪１４の基部１４ａ及び架橋部１４ｂを溝１０ｄ，１０ｅに嵌め込むようにすることで、捩れ等の変形がレンズ保持枠１０に作用しても、係合爪１４がレンズ保持枠１０から外れに難くし、リム１１によるレンズ２の保持を強固にすることができる。
【００１６】
係合凹部１０ｃは、図２（ｂ）に示すように底部に向かうほど内周面側に傾斜するように形成されているのがよく、このようにすることで係合させた爪部１４ｃを抜けにくくできる。また、係合凹部１０ｃは、図２（ｃ）に示すように底部に向かうほどレンズ保持枠１０の上方に向けて傾斜させるのがよく、このようにすることで係合させた爪部１４ｃとともにリム１１を押し上げ、リム１１を嵌合溝１０ａに押し付けるように付勢させることができる。
なお、智側の係合爪１３及び係合凹部１０ｂについても同様の構成で、係合爪１３は図２（ｃ）に示すように基部１３ａ，架橋部１３ｂ及び爪部１３ｃを有している。その他の構成についても係合爪１４及び係合凹部１０ｃと同様であるため、詳細な説明は省略する。
【００１７】
また、図２（ｄ）に示すように、智側の係合爪１４には智又は智を取り付けるための智取付金具１５を予め鑞付け等で取り付けておくことができる。このようにすれば、智取付金具１５が眼鏡前枠１の表面に露出せず、眼鏡前枠１のデザインをすっきりさせることができるほか、智取り付け用のスペースを係合爪１４及び係合凹部１０ｂと別に確保する必要がなく、眼鏡フレームのデザイン性を制限することがない。
【００１８】
この実施形態のリムの取り付け構造では、リム１１を嵌合溝１０ａに嵌め込むためにリム１１をレンズ保持枠１０に押し付けると、レンズ保持枠１０が弾性変形してリム１１を嵌合溝１０ａに受け入れる。リム１１には嵌合溝１０ａ側に張り出す余計な突起が存在しないため、レンズ保持枠１０の変形量はリム１１の形状に応じた分だけよく、簡単にリム１１をレンズ保持枠１０の嵌合溝１０ａに嵌め込むことができる。そして、爪部１３ｃ，１４ｃが係合凹部１０ｂ，１０ｃに嵌り込むことで、リム１１が嵌合溝１０ａ内で強固に固定される。
【００１９】
また、爪部１３ｃ，１４ｃ及び係合凹部１０ｂ，１０ｃに図２（ｂ）（ｃ）に示すような適当な傾斜を付けることで、爪部１３ｃ，１４ｃを係合凹部１０ｂ，１０ｃから抜けにくくし、リム１１を嵌合溝１０ａに押し付ける方向に付勢して、リム１１がより強固に嵌合溝１０ａ内で固定される。
【００２０】
［第二の実施形態］
図３は、本発明のリムの取り付け構造を適用した眼鏡前枠の第二の実施形態にかかり、（ａ）は眼鏡前枠とリムとを裏面側からみた分解平面図、（ｂ）はこの実施形態における図１のI-I方向と同様の断面図、（ｃ）は、（ｂ）の変形例における図１のI-I方向と同様の断面図である。
この実施形態では、第一の実施形態の係合凹部１０ｃの代わりに孔部１０ｅを嵌合溝１０ａのブリッジ側の底部に形成している。また、第一の実施形態の係合爪１４の代わりに、孔部１０ｅに挿入される係合突起１６をリム１１のブリッジ側に形成している。
【００２１】
この実施形態のリムの取り付け構造では、リム１１のブリッジ側に嵌合溝１０ａ側に張り出す係合突起１６が存在するものの、この係合突起１６を先に孔部１６ｅに挿入することで、後は第一の実施形態と同様の手順でレンズ保持枠１０を変形させてリム１１をレンズ保持枠１０の嵌合溝１０ａに嵌め込むことができる。
この実施形態においても、係合爪１３、係合突起１６、係合凹部１０ｂ及び孔部１０ｄに適当な傾斜を付けることで、爪部１３ｃ，係合突起１６を係合凹部１０ｂ，孔部１０ｅから抜けにくくし、リム１１を嵌合溝１０ａに押し付ける方向に付勢して、リム１１がより強固に嵌合溝１０ａ内で固定される。
【００２２】
図３（ｃ）に示す変形例では、（ｂ）の例の孔部１０ｅに代えて溝部１０ｆをレンズ保持枠１０に形成し、この溝部１０ｆに係合する係合部１９をリム１１に取り付けている。この例では、係合部１９は（ｂ）と同様の係合突起としてもよいが、鼻パッドを取り付けるための箱足を係合部１９として用いることができる。
【００２３】
［第三の実施形態］
図４は、本発明のリムの取り付け構造を適用した眼鏡前枠の第三の実施形態にかかり、（ａ）は眼鏡前枠とリムとを裏面側からみた分解平面図、（ｂ）はこの実施形態における図１のI-I方向と同様の断面図である。
この実施形態では、ブリッジ１２の一部を一方のレンズ保持枠１０側から他方のレンズ保持枠１０に亘って切り欠いて、連結部材１７を嵌め付けるための嵌合部１２ａが形成されている。連結部材１７はこの嵌合部１２ａに嵌合できる形状に形成されていて、両側の脚部１７ｂにはリム１１が嵌合する嵌合溝１７ａが形成されている。
【００２４】
また、嵌合溝１７ａの底部には孔部１７ｃが形成されている。リム１１は第二の実施形態と同様に形成されていて、ブリッジ１１側に形成された係合突起１６が孔部１７ｃに挿入されるようになっている。
上記構成によれば、連結部材１７によってブリッジ１２の剛性を高めることができるとともに、左右のリム１１が連結部材１７を介して連結されて一体となり、眼鏡前枠１の全体的な剛性を高めることができる。
【００２５】
図４に示す例では、ブリッジ１２の表側に嵌合部１２ａが形成されているが、図５（ａ）に示すようにブリッジ１２の裏側に嵌合部１２ａ′を形成することが可能である。このようにすることで、連結部材１７を表面側から見えないようにすることができる。
また、図５（ｂ）に図３（ｃ）に例と同様の変形例を示す（図５（ｂ）では図５（ａ）の右半分のみを示す）が、この例では図５（ａ）の孔部１７ｃに代えて溝部１０１７ｃ′を連結部材１７に形成し、この溝部１７ｃ′に係合する係合部１９をリム１１に取り付けている。この例においても、係合部１９は図５（ａ）と同様の係合突起としてもよいが、鼻パッドを取り付けるための箱足を係合部１９として用いることができる。
【００２６】
［第四の実施形態］
図６は、第三の実施形態のさらに他の実施形態にかかり、（ａ）は図４の実施形態の係合突起に変えて係合爪を適用した場合の断面図、（ｂ）は図５の実施形態の係合突起に変えて係合爪を適用した場合の断面図である。
図６（ａ）の実施形態では、第一の実施形態と同様にリム１１の側面に係合爪１４の基部１４ａが鑞付け等で取り付けられる。また、第三の実施形態と同様の連結部材１７には、基部１４ａに対応する位置に溝１７ｄが形成され、基部１４ａはこの溝１７ａに嵌め込まれる。また、連結部材１７及びブリッジ１２には係合孔１７ｅ及び係合孔（又は溝）１２ｂがそれぞれ形成され、係合爪１４ｃがこの係合孔１７ｅ，１２ｂに嵌め込まれるようになっている。係合孔１７ｅ，１２ｂは第一の実施形態の係合凹部１０ｃに相当する。
この実施形態では、係合爪１４が眼鏡前枠１の表面に露出するが、係合爪１４を装飾体の一部としたり、係合爪１４に装飾体を取り付けるなどしたりすることで、眼鏡前枠１のデザイン性を高めることが可能である。
また、図６（ｂ）の実施形態は、図６（ａ）の係合爪１４を裏面側に適用した変形例で、図６（ａ）の実施形態に対応する部位には同一の符号を付して詳細な説明は省略する。
【００２７】
［第五の実施形態］
図７は本発明の第五の実施形態にかかり、（ａ）は本発明のリムの取り付け構造を適用した眼鏡前枠を裏面側から見た平面図、（ｂ）は図１の眼鏡前枠とリムとを裏面側から見た分解平面図である。
この実施形態では、リム１１としてフルリム形のものを用いたものである。リム１１はブロー智１１ａを設けた部分で分割され、レンズ２をリム１１内に挿入できるようになっている。
レンズ保持枠１０の智側の端部にはブロー智１１ａを収容するためのブロー智収容部１０ｈが形成され、リム１１をレンズ保持枠１０に取り付けた際にブロー智１１ａがブロー智収容部１０ｈに収容されるようにすることで、ブロー智１１ａを隠すことができる。
この眼鏡前枠１のレンズ保持枠１０はハーフリム形であるが、リム１１との組み合わせによって、例えば樹脂と金属といった質感や光沢の異なる材料でフルリム形の眼鏡前枠とすることができる。
【００２８】
本発明の好適な実施形態について説明したが、本発明の接続構造は上記のものに限られない。
例えば、本発明は樹脂製の眼鏡前枠１に限らず、金属製や木製、竹製等の他の材質の眼鏡前枠にも適用が可能である。
また、本発明はハーフリム形に限らず、フルリム形にも適用が可能である。この場合、レンズ挿入のためにリムを分割するブロー智が挿入される凹部を眼鏡前枠に形成することで前記ブロー智を隠すことができる。
また、係合爪１３，１４及び係合凹部１０ｂ，１０ｃはレンズ保持枠１０の智側及びブリッジ側の両方の裏面に形成してもよいが、いずれか一方の表面（例えばブリッジ１２側）の表面に係合爪１４及び係合凹部１０ｃを形成し、他方（例えば智側）の裏面に係合爪１３及び係合凹部１０ｂを形成してもよく、表面に係合爪１３，１４及び係合凹部１０ｂ，１０ｃを形成してもよい。
さらに、図４〜図６に示す第三〜第四の実施形態においても、第一の実施形態と同様に孔部１７ｃ，溝部１７ｃ′，係合孔１７ｅ，１２ｂを適当に傾斜させ、爪部１４や係合突起１６を孔部１７ｃ，溝部１７ｃ′，係合孔１７ｅ，１２ｂから抜けにくくし、リム１１を嵌合溝１０ａに押し付ける方向に付勢してリム１１がより強固に嵌合溝１０ａ内で固定されるようにしてもよい。
【図面の簡単な説明】
【００２９】
【図１】本発明のリムの取り付け構造を適用した眼鏡前枠を裏面側（眼鏡フレームの装着者の目側）から見た平面図である。
【図２】（ａ）は図１の眼鏡前枠とリムとを裏面側から見た分解平面図、（ｂ）は図１のI-I方向断面図、（ｃ）は（ｂ）のII-II方向断面図、（ｄ）は智を取り付けた状態を示す図１のIII-III-方向断面図である。
【図３】本発明のリムの取り付け構造を適用した眼鏡前枠の第二の実施形態にかかり、（ａ）は眼鏡前枠とリムとを裏面側からみた分解平面図、（ｂ）はこの実施形態における図１のI-I方向と同様の断面図、（ｃ）は、（ｂ）の変形例における図１のI-I方向と同様の断面図である。
【図４】本発明のリムの取り付け構造を適用した眼鏡前枠の第三の実施形態にかかり、（ａ）は眼鏡前枠とリムとを裏面側からみた分解平面図、（ｂ）は（ａ）のIII-III方向断面図である。
【図５】（ａ）は第三の実施形態のさらに他の態様を示す図１のI-I方向と同様の断面図、（ｂ）は、（ａ）の変形例における図１のI-I方向と同様の断面図（右半分）である。
【図６】第三の実施形態のさらに他の実施形態にかかり、（ａ）は図４の実施形態の係合突起に代えて係合爪を適用した場合の断面図、（ｂ）は図５の実施形態の係合突起に代えて係合爪を適用した場合の断面図である。
【図７】本発明の第五の実施形態にかかり、（ａ）は本発明のリムの取り付け構造を適用した眼鏡前枠を裏面側から見た平面図、（ｂ）は（ａ）の眼鏡前枠とリムとを裏面側から見た分解平面図である。
【符号の説明】
【００３０】
１        眼鏡前枠
１０      レンズ保持枠
１０ａ    嵌合溝
１０ｂ，１０ｃ  係合凹部
１０ｄ，１０ｅ  溝
１１      リム
１２      ブリッジ
１２ａ    嵌合部
１２ｂ    係合孔
１２ａ′  嵌合部
１３，１４    係合爪
１４ａ    基部
１４ｂ    架橋部
１４ｃ    爪部
１５        智取付金具
１５      レンズ
１６      係合突起
１７      連結部材
２        レンズ
３        ナイロール
【図１】
0006529067.tif 000002
【図２】
0006529067.tif 000003
【図３】
0006529067.tif 000004
【図４】
0006529067.tif 000005
【図５】
0006529067.tif 000006
【図６】
0006529067.tif 000007
【図７】
0006529067.tif 000008